(57)【特許請求の範囲】
【請求項１】
画像処理装置で実行されるジョブに関するログを記憶手段に記憶させる記憶制御手段と、
前記画像処理装置、前記ジョブ、又は前記ログに関する予め設定された複数の対象項目と前記対象項目各々に対応して予め設定された重み付け条件とに基づいて前記ログの重要度を設定する設定制御手段と、
前記記憶手段に記憶された前記ログ各々の自動削除の順番を前記設定制御手段により設定される前記重要度に基づいて判断する削除制御手段と、
前記ジョブの処理対象の画像データに含まれる文字情報を認識する文字認識手段と、
を備え、
前記対象項目が、少なくとも前記画像処理装置のユーザー、又は前記画像処理装置のユーザーが属するグループを含み、
前記重み付け条件が、前記対象項目の内容と前記対象項目の内容に対応する重み値との対応関係を定める情報であり、
前記設定制御手段が、前記画像処理装置のユーザーにより実行された前記ジョブの処理対象の画像データに予め設定された特定文字が含まれている頻度に応じて、前記画像処理装置のユーザーに対応する前記重み値又は前記画像処理装置のユーザーが属するグループに対応する前記重み値を変更し、複数の前記対象項目の内容に対応する前記重み値に基づいて前記ログの重要度を算出して設定する画像処理装置。
【請求項２】
前記対象項目が、前記ジョブの内容、前記ジョブにおける処理対象の画像データの内容、前記ログの保存期間、前記ログの閲覧回数、ユーザー操作により設定される前記ジョブのセキュリティーレベル、又は前記画像処理装置の設置場所を含む請求項１に記載の画像処理装置。
【請求項３】
前記設定制御手段が、複数の前記対象項目に基づいて前記ログの重要度を設定した後、前記ログの保存期間及び前記ログの閲覧回数のいずれか一方又は両方に応じて前記ログの重要度を変更する請求項２に記載の画像処理装置。
【請求項４】
画像処理装置で実行されるジョブに関するログを記憶手段に記憶させる記憶ステップと、
前記画像処理装置、前記ジョブ、又は前記ログに関する予め設定された複数の対象項目と前記対象項目各々に対応して予め設定された重み付け条件とに基づいて前記ログの重要度を設定する設定ステップと、
前記記憶手段に記憶された前記ログ各々の自動削除の順番を前記設定ステップにより設定される前記重要度に基づいて判断する削除ステップと、
前記ジョブの処理対象の画像データに含まれる文字情報を認識する文字認識ステップと、
を含むログ管理方法であって、
前記対象項目が、少なくとも前記画像処理装置のユーザー、又は前記画像処理装置のユーザーが属するグループを含み、
前記重み付け条件が、前記対象項目の内容と前記対象項目の内容に対応する重み値との対応関係を定める情報であり、
前記設定ステップでは、前記画像処理装置のユーザーにより実行された前記ジョブの処理対象の画像データに予め設定された特定文字が含まれている頻度に応じて、前記画像処理装置のユーザーに対応する前記重み値又は前記画像処理装置のユーザーが属するグループに対応する前記重み値が変更され、複数の前記対象項目の内容に対応する前記重み値に基づいて前記ログの重要度が算出されて設定されるログ管理方法。
【発明の詳細な説明】
【技術分野】
【０００１】
本発明は、ジョブに関するログを記憶部に記憶させる画像処理装置及びログ管理方法に関する。
【背景技術】
【０００２】
プリンター又はスキャナー等の画像処理装置では、プリントジョブ又はスキャンジョブなどの各種のジョブに関するログが記憶部に蓄積して記憶される。また、ログには、ジョブにおける処理対象の画像データに基づいて生成されるイメージログが含まれることがある（例えば、特許文献１参照）。この種の画像処理装置では、ログが記憶される記憶部の記憶容量が一定量以下に達した場合に、記憶部のログが古いログから順に削除されることが知られている（例えば、特許文献２参照）。
【先行技術文献】
【特許文献】
【０００３】
【特許文献１】特開２００３−３３０６７７号公報
【特許文献２】特開２００７−１６６１７５号公報
【発明の概要】
【発明が解決しようとする課題】
【０００４】
しかしながら、ログの重要度は、そのログの新旧だけではなく、例えばジョブにおける処理対象の画像データの内容又は画像処理装置のユーザーなどによっても異なる。そのため、単純に古いログから順に削除するだけでは、有用性の高いログが有用性の低いログよりも先に削除されるおそれがある。
【０００５】
本発明の目的は、ログの重要度を多面的に判断して有用性の高いログを残すことが可能な画像処理装置及びログ管理方法を提供することにある。
【課題を解決するための手段】
【０００６】
本発明の一の局面に係る画像処理装置は、記憶制御手段、設定制御手段、及び削除制御手段を備える。前記記憶制御手段は、画像処理装置で実行されるジョブに関するログを記憶手段に記憶させる。前記設定制御手段は、前記画像処理装置、前記ジョブ、又は前記ログに関する予め設定された複数の対象項目と前記対象項目各々に対応して予め設定された重み付け条件とに基づいて前記ログの重要度を設定する。前記削除制御手段は、前記記憶手段に記憶された前記ログ各々の自動削除の順番を前記設定制御手段により設定される前記重要度に基づいて判断する。
【０００７】
本発明の他の局面に係るログ管理方法は、記憶ステップ、設定ステップ、及び削除ステップを備える。前記記憶ステップは、画像処理装置で実行されるジョブに関するログを記憶手段に記憶させる。前記設定ステップは、前記画像処理装置、前記ジョブ、又は前記ログに関する予め設定された複数の対象項目と前記対象項目各々に対応して予め設定された重み付け条件とに基づいて前記ログの重要度を設定する。前記削除ステップは、前記記憶手段に記憶された前記ログ各々の自動削除の順番を前記設定制御ステップにより設定される前記重要度に基づいて判断する。
【発明の効果】
【０００８】
本発明によれば、ログの重要度を多面的に判断して有用性の高いログを残すことが可能な画像処理装置及びログ管理方法が実現される。
【図面の簡単な説明】
【０００９】
【図１】本発明の実施の形態に係る画像処理装置の概略構成を示す模式図。
【図２】本発明の実施の形態に係る画像処理装置のシステム構成を示すブロック図。
【図３】本発明の実施の形態に係る画像処理装置で使用される重み情報の一例を示す図。
【図４】本発明の実施の形態に係る画像処理装置で実行されるログ管理処理の手順の一例を示すフローチャート。
【図５】本発明の実施の形態に係る画像処理装置で実行される削除制御処理の手順の一例を示すフローチャート。
【図６】本発明の実施の形態に係る画像処理装置で使用される重み情報及び重み変更情報の一例を示す図。
【図７】本発明の実施の形態に係る画像処理装置で実行されるログ管理処理の手順の一例を示すフローチャート。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
＜画像処理装置１０の概略構成＞
まず、図１及び図２を参照しつつ、本発明の実施の形態に係る画像処理装置１０の概略構成について説明する。
【００１２】
図１及び図２に示すように、前記画像処理装置１０は、ＡＤＦ１、画像読取部２、画像形成部３、給紙部４、制御部５、操作表示部６、記憶部７、及び通信Ｉ／Ｆ８などを備える複合機である。なお、本発明に係る画像処理装置の他の例には、プリンター、コピー機、スキャナー、及びファクシミリーなどの画像形成装置又は画像読取装置が含まれる。
【００１３】
前記ＡＤＦ１は、搬送ローラー１２各々を駆動させることにより、原稿載置部１１にセットされた原稿を前記画像読取部２による画像読取位置を通過させて排紙トレイ１３まで搬送させる原稿自動送り装置である。
【００１４】
前記画像読取部２は、原稿台２１、光源ユニット２２、ミラー２３、２４、光学レンズ２５、及びＣＣＤ（Charge Coupled Device）２６などを備える画像読取手段である。前記原稿台２１は、前記画像読取部２の上面に設けられた原稿の載置部である。前記読取ユニット２２は、ＬＥＤ光源２２１及びミラー２２２を備え、不図示のモーターによって副走査方向２Ａに移動可能である。前記ＬＥＤ光源２２１は、前記副走査方向２Ａに垂直な主走査方向に沿って配列された多数の白色ＬＥＤを備える。前記ミラー２２２は、前記ＬＥＤ光源２２１から照射されて前記原稿台２１上の読取位置にある前記原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、入射した光を集光して前記ＣＣＤ２６に入射させる。前記ＣＣＤ２６は、前記光学レンズ２５から入射される光の受光量に応じた電気信号を前記原稿の画像データとして前記制御部５に入力する光電変換素子などを有する。
【００１５】
前記画像形成部３は、前記画像読取部２で読み取られた画像データ、又は外部のパーソナルコンピューター等の情報処理装置から入力された画像データに基づいて画像形成処理（印刷処理）を実行する電子写真方式の画像形成手段である。具体的に、前記画像形成部３は、搬送部３０、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９などを備える。
【００１６】
前記給紙部４は、前記画像処理装置１０に対して着脱可能な給紙カセット４１に収容された紙などのシートを前記画像形成部３に供給する。そして、前記画像形成部３に供給されたシートは、前記搬送部３０により前記感光体ドラム３１及び前記転写ローラー３５を経て前記定着ローラー３７及び前記加圧ローラー３８を通過した後、排紙トレイ３９に排出される。このとき、前記画像形成部３では、前記給紙部４から供給されて前記搬送部３０により搬送されるシートに画像を形成する画像形成処理が以下の手順で実行される。
【００１７】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によって磁性トナーにより現像（可視像化）される。なお、前記現像装置３４には、前記画像形成部３に着脱可能なトナーコンテナ３４Ａから磁性トナーが補給される。続いて、前記感光体ドラム３１に形成されたトナー像は前記転写ローラー３５によってシートに転写される。その後、シートに転写されたトナー像は、そのシートが前記定着ローラー３７及び前記加圧ローラー３８の間を通過する際に前記定着ローラー３７で加熱されて溶融定着する。なお、前記画像形成部３による前記画像形成処理後に前記感光体ドラム３１の表面に残存する前記磁性トナーは前記クリーニング装置３６によって除去される。
【００１８】
前記制御部５は、ＣＰＵ、ＲＯＭ、及びＲＡＭなどの制御機器を有するコンピューターである。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶手段である。前記ＲＡＭは、各種の情報を記憶する揮発性の記憶手段であり、前記ＣＰＵが実行する各種の処理の一時記憶メモリー（作業領域）として使用される。
【００１９】
そして、前記制御部５は、前記ＲＯＭに予め記憶された各種の制御プログラムを前記ＣＰＵで実行することにより前記画像処理装置１０を統括的に制御する。なお、前記制御部５は、集積回路（ＡＳＩＣ、ＤＳＰ）などの電子回路で構成されたものであってもよく、前記画像処理装置１０を統括的に制御するメイン制御部と別に前記画像形成部３などに設けられたエンジン制御部であってもよい。
【００２０】
前記操作表示部６は、前記画像処理装置１０の外面に設けられている。前記操作表示部６は、前記制御部５からの制御指示に応じて各種の情報を表示する液晶ディスプレイなどの表示部を有する。また、前記操作表示部６は、ユーザー操作に応じて前記制御部５に各種の情報を入力するハードキー又はタッチパネルなどの操作部を有する。
【００２１】
前記記憶部７は、各種の情報を記憶するＥＥＰＲＯＭ、ハードディスク、又はＳＳＤなどの記憶手段である。前記制御部５は、前記記憶部７への情報の記憶及び前記記憶部７からの情報の読み出しが可能である。
【００２２】
前記通信Ｉ／Ｆ８は、前記画像処理装置１０を有線又は無線でインターネット又はＬＡＮ等のネットワークに接続し、前記ネットワークを介して外部装置との間でデータ通信を実行する通信インターフェースである。
【００２３】
このように構成された前記画像処理装置１０では、前記制御部５により、前記画像処理装置１０で実行されるプリントジョブ、スキャンジョブ、及びデータ送信ジョブなどのジョブの記録及び削除が行われる。具体的に、図２に示すように、前記制御部５は、記憶制御部５１、設定制御部５２、削除制御部５３、及び文字認識部５４を含む。ここに、前記制御部５は、前記ＣＰＵにより前記制御プログラムに従った各種の処理を実行することにより、前記記憶制御部５１、前記設定制御部５２、前記削除制御部５３、及び前記文字認識部５４として機能する。前記記憶制御部５１、前記設定制御部５２、前記削除制御部５３、及び前記文字認識部５４として機能するときの前記制御部５が、記憶制御手段、設定制御手段、削除制御手段、及び文字認識手段の一例である。なお、前記制御部５が電子回路である場合、前記記憶制御部５１、前記設定制御部５２、前記削除制御部５３、及び前記文字認識部５４は、それぞれの機能を実現する回路モジュールである。
【００２４】
前記記憶制御部５１は、前記画像処理装置１０で実行される前記ジョブに関するログを前記記憶部７に記憶させる記憶ステップを実行する。具体的に、前記記憶部７には、ログを記憶するログ記憶部７１が設けられており、前記記憶制御部５１は、前記ログ記憶部７１に前記ログを記憶させる。前記ログには、前記ジョブの内容、前記ジョブの実行日時、前記ジョブの実行者、前記ログの保存指定期間、前記ログのセキュリティーレベル、及びイメージログなどの情報が含まれる。前記イメージログは、前記ジョブの処理対象であった画像データの解像度を低減した情報、又は前記画像データのサイズを縮小した画像である。
【００２５】
前記設定制御部５２は、前記画像処理装置１０、前記ジョブ、又は前記ログに関する予め設定された複数の対象項目と前記対象項目各々に対応して予め設定された重み付け条件とに基づいて前記ログの重要度を設定する設定ステップを実行する。前記対象項目には、前記ジョブの内容、前記ジョブにおける処理対象の画像データの内容、前記ログの保存期間、前記ログの閲覧回数、ユーザー操作により設定される前記ジョブのセキュリティーレベル、前記画像処理装置の設置場所、前記画像処理装置のユーザー、又は前記画像処理装置のユーザーが属するグループなどが含まれる。
【００２６】
具体的に、前記記憶部７には、前記重み付け条件の内容を示す重み情報Ｄ１０を記憶する重み情報記憶部７２が設けられている。前記設定制御部５２は、前記重み情報Ｄ１０に記憶された前記重み付け条件に従って前記ログの重要度を設定する。そして、前記設定制御部５２は、前記ログの重要度を前記ログ記憶部７１に記憶された前記ログ各々に対応付けた状態で前記ログ記憶部７１に記憶させる。
【００２７】
前記削除制御部５３は、前記ログ記憶部５１に記憶された前記ログ各々の自動削除の順番を前記設定制御部５２により設定される前記重要度に基づいて判断する削除ステップを実行する。具体的に、前記削除制御部５３は、前記ログ記憶部７１の記憶可能容量（空き容量）が予め設定された第１設定量以下になった場合に前記重要度の低いログから順に削除することにより、前記ログ記憶部７１におけるログの記憶容量を確保する。
【００２８】
前記文字認識部５４は、前記画像データに含まれた文字を認識する文字認識処理を実行する。これにより、前記制御部５は、前記文字認識部５４で認識された前記画像データに含まれる文字から任意の文字を検索することが可能である。なお、前記文字認識処理については、例えばパターン認識などの従来周知の各種の手法を用いればよいためここでは説明を省略する。
【００２９】
［重み情報の一例］
ここに、図３は、前記重み情報Ｄ１０の一例を示す図である。図３に示す前記重み情報Ｄ１０では、前記対象項目として、セキュリティーレベル、検知数、閲覧頻度、及び保存期間が含まれる。前記重み情報Ｄ１０では、前記対象項目の内容と前記対象項目の内容に対応する重み値との対応関係が重み付け条件として定められている。
【００３０】
前記セキュリティーレベルは、前記画像処理装置１０へのジョブの実行要求時に、ユーザーによる外部のパーソナルコンピューター等の情報処理装置又は前記操作表示部６に対する操作入力に応じて前記制御部５が設定する情報である。具体的に、前記セキュリティーレベルは、「低（又は未設定）」、「中」、「高」、及び「最高」の４段階で設定可能であり、前記重み情報Ｄ１０では、それぞれについて「１」、「２」、「３」、及び「４」が重み値として対応付けられている。即ち、前記セキュリティーレベルに対応する前記重み値は、前記セキュリティーレベルの設定値が高いほど大きくなるように設定されている。
【００３１】
前記検知数は、前記画像処理装置１０で実行される前記ジョブの処理対象の画像データに含まれる予め設定された特定文字の数を示す。具体的に、前記制御部５は、前記ジョブのログを記録する際に、前記文字認識部５４により認識される前記画像データに含まれる前記特定文字の数を検知する。前記特定文字は、例えば「社外秘」、「重要」、又は「機密」などのように前記画像データの重要性を示す情報である。なお、前記制御部５は、前記操作表示部６のユーザー操作に応じて前記特定文字を予め登録可能である。前記検知数の値Ｎ１は、「０」、「１以上５未満」、「５以上１０未満」、及び「１０以上」の４段階に分類されており、それぞれについて「１」、「２」、「３」、及び「４」が重み値として対応付けられている。即ち、前記検知数に対応する前記重み値は、前記検知数の値Ｎ１が多いほど大きくなるように設定されている。
【００３２】
前記閲覧頻度は、前記画像処理装置１０で前記ログ記憶部７１にログが記憶された後、前記ログが閲覧された１ヶ月の平均回数（回／月）を示す。前記閲覧頻度は、前記制御部５により、前記ログ各々に対応付けて前記ログ記憶部７１に記憶され、前記操作表示部６の操作により前記ログの詳細が閲覧されたときに更新される。前記閲覧頻度の値Ｎ２は、「０」、「１」、「２」、及び「３以上」の４段階に分類されており、それぞれについて「１」、「２」、「３」、及び「４」が重み値として対応付けられている。即ち、前記閲覧頻度に対応する前記重み値は、前記閲覧回数の値Ｎ２が多いほど大きくなるように設定されている。
【００３３】
前記保存期間は、前記画像処理装置１０で前記ログ記憶部７１にログが記憶された後、前記ログが保存されている期間を示す日数である。前記保存期間は、前記制御部５により、前記ログとして記憶されたジョブ実行日時から現在の日時までの経過日数として算出され、前記ログ各々に対応付けて前記ログ記憶部７１に記憶される。なお、前記ログ記憶部７１に記憶される前記保存期間は、前記画像処理装置１０のシステムクロックの日付が変わったとき等に更新される。そして、前記保存期間の値Ｎ３は、「９０以上」、「３０以上９０未満」、「７以上３０未満」、及び「７未満」の４段階に分類されており、それぞれについて「１」、「２」、「３」、及び「４」が重み値として対応付けられている。即ち、前記保存期間に対応する前記重み値は、前記保存期間の値Ｎ３が短いほど大きくなるように設定されている。
【００３４】
［ログ管理処理］
以下、図４及び図５を参照しつつ、前記制御部５によって実行されるログ管理処理の手順の一例について説明する。なお、ここでは、前記画像処理装置１０で前記重み情報Ｄ１０（図３参照）が予め設定されて前記重み情報記憶部７２に記憶されている場合を例に挙げて説明する。
【００３５】
＜ステップＳ１＞
ステップＳ１において、前記制御部５は、前記画像処理装置１０でプリントジョブ、スキャンジョブ、及びデータ送信ジョブなどのジョブが実行されたか否かを判断する。ここで、前記制御部５は、前記ジョブが実行されたと判断すると（Ｓ１のＹｅｓ側）、処理をステップＳ２に移行させる。一方、前記制御部５は、前記ジョブが実行されていなければ（Ｓ１のＮｏ側）、処理をステップＳ１１に移行させる。
【００３６】
＜ステップＳ２＞
ステップＳ２において、前記制御部５は、前記セキュリティーレベルに対応する前記重み値を特定する。具体的に、前記制御部５は、前記ジョブの実行要求時に設定された前記セキュリティーレベルと前記重み情報Ｄ１０とに基づいて前記重み値を特定する。なお、前記セキュリティーレベルが設定されていない場合には、「未設定」に対応する「１」が前記重み値として特定される。
【００３７】
＜ステップＳ３＞
ステップＳ３において、前記制御部５は、前記ジョブの処理対象の画像データに含まれた前記特定文字の検知数に対応する前記重み値を特定する。具体的に、前記制御部５は、前記文字認識部５４により前記画像データに含まれる文字を認識し、前記文字に含まれる前記特定文字の数を検知する。そして、前記制御部５は、前記特定文字の検知数と前記重み情報記憶部７２に記憶されている前記重み情報Ｄ１０とに基づいて前記重み値を特定する。
【００３８】
また、前記制御部５が、前記特定文字の検知ごとに前記セキュリティーレベルが高くなるように自動的に前記セキュリティーレベルを１つ上げることにより、前記特定文字の検知数を前記重要度に反映させることも考えられる。また、前記制御部５は、前記特定文字が検知された場合に、前記セキュリティーレベルが設定を予め設定された特定のセキュリティーレベルに変更することも考えられる。
【００３９】
＜ステップＳ４＞
ステップＳ４において、前記制御部５は、前記ログの保存期間に対応する前記重み値を特定する。具体的に、前記制御部５は、前記ログの保存期間と前記重み情報Ｄ１０とに基づいて前記重み値を特定する。この時点では、前記ログの保存期間は「０」であるため、前記制御部５は、前記ログの保存期間が「０」である場合に対応する「１」を前記重み値として特定する。
【００４０】
なお、ここでは、前記ログが記憶された後から起算される前記ログの保存期間に基づいて前記重み値が特定される場合を例に挙げて説明する。一方、前記ジョブの実行時に前記ログを保存するべき期間として保存指定期間が設定される場合には、前記保存指定期間が長いほど前記重み値が大きくなるように設定されていることも考えられる。
【００４１】
＜ステップＳ５＞
ステップＳ５において、前記制御部５は、前記ログの閲覧回数に対応する前記重み値を特定する。具体的に、前記制御部５は、前記ログの閲覧回数と前記重み情報Ｄ１０とに基づいて前記重み値を特定する。この時点では、前記ログの閲覧回数は「０」であるため、前記制御部５は、前記ログの閲覧回数が「０」である場合に対応する「１」を前記重み値として特定する。
【００４２】
＜ステップＳ６＞
そして、ステップＳ６において、前記制御部５は、前記ステップＳ２〜Ｓ５で特定された４つの前記重み値に基づいて前記ログの重要度を算出して設定する。このように、前記ログ管理処理において前記ログの重要度を設定するときの前記制御部５が前記設定制御部５２である。
【００４３】
具体的に、前記制御部５は、前記ステップＳ２〜Ｓ５で特定された前記重み値の積を前記重要度として算出する。例えば、前記セキュリティーレベルに対応する重み値が「２」、前記検知数に対応する重み値が「３」、前記ログの保存期間及び前記ログの閲覧回数に対応する重み値がそれぞれ「１」である場合、前記ログの重要度は「６」になる。なお、前記制御部５は、前記操作表示部６のユーザー操作に応じて、前記セキュリティーレベル、前記検知数、前記ログの保存期間、及び前記ログの閲覧回数のうち前記重要度の算出に使用する情報を予め設定可能である。
【００４４】
また、前記制御部５が、前記重み値の積が予め設定された複数の範囲のいずれに属するかに応じて重要度を設定することも考えられる。例えば、前記重み値の積が「１６」未満の場合は重要度が「低」であり、「１７」以上「３２」未満の場合は重要度が「中」であり、「３３」以上「６４」未満の場合は重要度が「高」であり、「６４」以上の場合は重要度が「高」であることが考えられる。なお、前記重み値に基づく前記重要度の算出手法は、前記重み値の積に限らず、前記重み値の和であってもよく、その他の予め設定された演算式に基づいて行われてもよい。
【００４５】
＜ステップＳ７＞
そして、ステップＳ７において、前記制御部５は、前記ジョブのログを前記ステップＳ６で設定された前記重要度と共に前記ログ記憶部７１に記憶させる。また、前記制御部５は、前記セキュリティーレベル及び前記特定文字の検知数も、前記ログと共に前記ログ記憶部７１に記憶させる。なお、前記制御部５が、前記セキュリティーレベル及び前記特定文字の検知数に代えてこれらに対応する前記重み値を前記ログと共に前記ログ記憶部７１に記憶させることも考えられる。
【００４６】
これにより、前記制御部５は、前記ログごとに対応する前記重要度、前記セキュリティーレベル、及び前記検知数などの情報を前記ログ記憶部７１から読み出すことが可能になる。例えば、前記重要度、前記セキュリティーレベル、及び前記検知数などの情報は、前記ログの情報の一部として記憶される。また、前記重要度、前記セキュリティーレベル、及び前記検知数などの情報は、前記ログを識別するための情報と共に前記ログとは異なる情報として前記ログ記憶部７１に記憶されてもよい。
【００４７】
＜ステップＳ１１＞
一方、前記ジョブの実行を待ち受けている間（Ｓ１のＮｏ側）、ステップＳ１１において、前記制御部５は、前記ログの重要度が設定された後、前記ログ記憶部７１に記憶された前記ログ各々の前記重要度の更新タイミングが到来したか否かを判断する。具体的に、前記制御部５は、予め設定された更新条件が満たされた場合に、前記更新タイミングが到来したと判断する。例えば、前記更新条件は、前記画像処理装置１０のシステムクロックの日付が変わったこと、前回の前記重要度の更新から予め設定された所定期間が経過したこと、前記ログ記憶部７１の記憶可能容量が予め設定された容量以下になったこと、及び前記ログ記憶部７１に記憶された前記ログの詳細情報がユーザー操作によって閲覧されたこと等である。
【００４８】
ここで、前記制御部５は、前記ログの重要度が設定された後、前記ログの重要度の更新タイミングが到来したと判断すると（Ｓ１１のＹｅｓ側）、処理をステップＳ１２に移行させる。そして、前記ステップＳ１２以降では、前記制御部５により前記ログの重要度を変更する更新処理が実行される。なお、前記更新処理も前記制御部５の前記設定制御部５２により実行される。一方、前記制御部５は、前記ログの重要度の更新タイミングが到来していない場合（Ｓ１１のＮｏ側）、処理を前記ステップＳ１に移行させる。
【００４９】
＜ステップＳ１２＞
ステップＳ１２において、前記制御部５は、前記ログ記憶部７１に記憶された前記ログ各々について前記ログ記憶部７１から前記ログの保存期間を読み出し、前記保存期間に対応する前記重み値を特定する。なお、前記ログの保存期間は、前記ステップＳ１２で前記制御部５によって算出されてもよい。
【００５０】
＜ステップＳ１３＞
ステップＳ１３において、前記制御部５は、前記ログ記憶部７１に記憶された前記ログ各々について前記ログ記憶部７１から前記ログの閲覧回数を読み出し、前記閲覧回数に対応する前記重み値を特定する。
【００５１】
＜ステップＳ１４＞
そして、ステップＳ１４において、前記制御部５は、前記ログ記憶部７１に記憶されている前記ログの重要度を更新して設定する。具体的に、前記制御部５は、前記ログの保存期間及び前記ログの閲覧回数と、前記ログ記憶部７１に記憶された前記ログに対応する前記セキュリティーレベル及び前記特定文字の検知数とに基づいて前記ログの重要度を再度算出し、前記ログ記憶部７１に記憶された前記ログの重要度を更新する。このように、前記制御部５は、複数の前記対象項目に基づいて前記ログの重要度を設定した後、前記ログの保存期間及び前記ログの閲覧回数に応じて前記ログの重要度を変更する。もちろん、前記制御部５は、前記ログの保存期間及び前記ログの閲覧回数のいずれか一方に応じて前記ログの重要度を変更してもよい。
【００５２】
なお、前記制御部５が、前記ログ記憶部７１に記憶されている前記ログ各々について予め設定された一定期間の保存期間が経過するごとに前記ログのセキュリティーレベルを１つ下げることも考えられる。また、前記制御部５が、前記ログ記憶部７１に記憶されている前記ログ各々について予め設定された一定期間の閲覧回数が予め設定された回数以上である場合に前記セキュリティーレベルを１つ上げることが考えられる。同じく、前記制御部５が、前記ログの前記一定期間の閲覧回数が予め設定された回数未満である場合に前記セキュリティーレベルを１つ下げることも考えられる。また、このように前記セキュリティーレベルを自動的に変更する場合でも、前記制御部５が、前記セキュリティーレベルが「最高」である前記ログについては、予め設定された管理者による削除操作又は変更操作が行われるまで、前記セキュリティーレベルを低下させないことが考えられる。
【００５３】
［削除制御処理］
続いて、図５を参照しつつ、前記制御部５によって実行される削除制御処理の手順の一例について説明する。なお、本発明は、前記画像処理装置１０において前記ログ管理処理及び前記削除制御処理の各ステップを実行するログ管理方法の発明として捉えてもよい。
【００５４】
＜ステップＳ２１＞
まず、ステップＳ２１において、前記制御部５は、前記ログ記憶部７１の記憶可能容量が第１設定量以下であるか否かを判断する。前記第１設定量は、前記ログ記憶部７１の空き容量が少なくなっていることを判断するために予め設定された値である。なお、前記第１設定量は０であることも考えられる。
【００５５】
ここで、前記制御部５は、前記記憶可能容量が前記第１設定量以下であると判断すると（Ｓ２１のＹｅｓ側）、処理をステップＳ２２に移行させる。また、前記制御部５は、前記第１設定量以下ではないと判断すると（Ｓ２１のＮｏ側）、処理をステップＳ２３に移行させる。
【００５６】
＜ステップＳ２２＞
ステップＳ２２において、前記制御部５は、前記ログ記憶部７１に記憶されている前記ログを前記重要度の低いログから順に自動的に削除し、予め設定された第２設定量以上の記憶可能容量を前記ログ記憶部７１に確保する。即ち、前記制御部５は、前記ステップＳ２１〜Ｓ２２において実行される前記ログの自動削除の順番を、前記ログ管理処理において前記設定制御部５２により設定される前記重要度に基づいて判断する。従って、前記ログ記憶部７１には、前記重要度が高く有用性が高い前記ログが蓄積されることになる。なお、前記第２設定量は、前記第１設定量よりも大きい値である。また、前記制御部５が、前記ログ記憶部７１の前記ログのうち前記重要度の低い方から順に予め設定された所定数だけ削除することも考えられる。なお、前記ログの削除には、前記ログ記憶部７１に記憶されている前記ログの「消去」だけでなく「上書き」も含まれる。
【００５７】
また、前記制御部５は、前記ジョブが実行された場合に、前記ジョブのログの情報量を前記第１設定量及び前記第２設定量として設定することが考えられる。これにより、前記画像処理装置１０における前記ジョブの実行時に、前記ジョブのログを記憶するための記憶可能容量が前記ログ記憶部７１に確保されていない場合、前記ログ記憶部７１に記憶されている前記ログが自動的に削除されて、前記ジョブのログを記憶するための記憶可能容量が確保される。
【００５８】
＜ステップＳ２３＞
ステップＳ２３において、前記制御部５は、前記ログ記憶部７１に記憶された前記ログ各々について、予め設定された削除条件が充足したか否かを判断する。前記削除条件は、例えば前記ログの保存期間が予め設定された一定期間に達したこと、前記セキュリティーレベルが「１」の状態で一定期間を経過したこと、又は前記セキュリティーレベルが「１」であり前記ログの閲覧回数が予め設定された一定数以下であること等である。
【００５９】
ここで、前記制御部５は、前記削除条件が充足したと判断すると（Ｓ２３のＹｅｓ側）、処理をステップＳ２４に移行させる。また、前記制御部５は、前記削除条件が充足していないと判断すると（Ｓ２３のＮｏ側）、処理を前記ステップＳ２１に移行させる。
【００６０】
＜ステップＳ２４＞
ステップＳ２４において、前記制御部５は、前記ステップＳ２３で前記削除条件が充足した前記ログの削除の要否を確認する旨のメッセージ及び要否の操作キーを前記操作表示部６に表示させる。また、前記削除条件を充足する前記ログが複数存在する場合には、前記ログ各々がリスト表示される。なお、前記制御部５は、前記操作表示部６のユーザー操作に応じて、前記ステップＳ２４における表示の有無を予め設定可能である。
【００６１】
＜ステップＳ２５＞
そして、ステップＳ２５において、前記制御部５は、前記操作表示部６に表示された前記ログを削除する旨の操作キーが操作されると（Ｓ２５のＹｅｓ側）、処理をステップＳ２６に移行させる。また、前記ステップＳ２５において、前記制御部５は、前記操作表示部６に表示された前記ログを削除しない旨の操作キーが操作されると（Ｓ２５のＮｏ側）、処理を前記ステップＳ２１に移行させる。
【００６２】
＜ステップＳ２６＞
ステップＳ２６において、前記制御部５は、前記削除条件を充足した前記ログを前記ログ記憶部７１から削除する。これにより、前記ログ記憶部７１では、次に前記ログを記憶させるための記憶可能容量が確保される。
【００６３】
以上説明したように、前記画像処理装置１０では、前記画像処理装置１０で実行される前記ジョブに関する前記ログの重要度を多面的に判断して有用性の高いログを残すことができる。また、前記画像処理装置１０では、前記ログの重要度を算出するための算出式に、ユーザーにより任意に設定されるセキュリティーレベルが含まれているため、ユーザーの意思を前記ログの重要性に反映することも可能である。
【００６４】
［他の実施形態］
以下では、図６及び図７を参照しつつ、前記画像処理装置１０の他の実施形態について説明する。なお、前記画像処理装置１０について前記実施形態と同様の構成については説明を省略する。
【００６５】
具体的に、当該他の実施形態に係る前記画像処理装置１０では、図３に示した前記重み情報Ｄ１０に代えて、図６（Ａ）〜図６（Ｄ）に示す重み情報Ｄ１１〜Ｄ１４が前記重み情報記憶部７２に記憶されている。図６（Ａ）〜図６（Ｄ）に示す前記重み情報Ｄ１１〜Ｄ１４では、前記対象項目として、前記画像処理装置１０の設置場所、前記画像処理装置１０のユーザーが属するグループ（部門）、前記画像処理装置１０のユーザー、及び前記ジョブの内容が含まれる。また、前記重み情報記憶部７２には、図６（Ｅ）に示す重み変更情報Ｄ２１が記憶されている。そして、前記画像処理装置１０では、前記制御部５により、図４に示した前記ログ管理処理に代えて、図７に示すログ管理処理が実行される。
【００６６】
図６（Ａ）に示す前記重み情報Ｄ１１は、前記画像処理装置１０の設置場所に対応する重み値を示す。前記設置場所は、前記画像処理装置１０がどのような状況で使用されるかについて重み付けするための情報であり、前記画像処理装置１０の初期設定時などに設定される。
【００６７】
図６（Ｂ）に示す前記重み情報Ｄ１２は、前記画像処理装置１０のユーザーが属するグループとして予め設定された部門及び部門コードに対応する重み値を示す。また、図６（Ｃ）に示す前記重み情報Ｄ１３は、前記画像処理装置１０のユーザー及びユーザーＩＤに対応する重み値を示す。なお、前記重み情報Ｄ１２及び前記重み情報Ｄ１３は、前記画像処理装置１０におけるユーザー管理及び部門管理に用いられる登録情報の一部として記憶されている。そのため、前記重み情報Ｄ１３には、前記ユーザーが属する部門名、及び前記ユーザーのログインに用いられるパスワード等の情報がユーザーごとに対応付けて記憶されている。
【００６８】
図６（Ｄ）に示す前記重み情報Ｄ１４は、前記ジョブがデータ送信を伴うファクシミリー送信、ネットワークスキャン、又はメール送信などである場合に、前記データ送信の宛先が内部であるか外部であるかに対応する重み値を示す。なお、前記内部とは、前記画像処理装置１０が設置される会社又はグループの範囲内である場合を示し、前記外部とは、前記画像処理装置１０が設置される会社又はグループの範囲外である場合を示す。また、前記ジョブが前記データ送信を伴わない場合には前記内部と同じ重み値が対応付けられている。
【００６９】
図６（Ｅ）に示す前記重み変更情報Ｄ２１は、前記重み情報Ｄ１２における前記ユーザーに対応する重み値を変更するための指標として用いられる情報である。具体的に、前記重み変更情報Ｄ２１は、前記画像処理装置１０で実行されるジョブの処理対象の画像データに含まれる前記特定文字の検知頻度の値Ｎ４に対応する重み値を示す。前記画像処理装置１０では、前記制御部５が、前記画像処理装置１０で実行されたジョブの回数及び前記ジョブの処理対象の画像データに前記特定文字が含まれている回数をユーザーごとにカウントして前記記憶部７に記憶させる。これにより、前記制御部５は、ユーザーごと又は前記ユーザーが属する部門ごとに前記特定文字の検知頻度の値Ｎ４を算出することが可能である。なお、前記重み変更情報Ｄ２１において、前記検知頻度の値Ｎ４は、「５未満」、「５以上１０未満」、「１０以上１５未満」、及び「１５以上」の４段階に分類されており、それぞれについて「１」、「２」、「３」、及び「４」が重み値として対応付けられている。即ち、前記検知頻度に対応する前記重み値は、前記検知頻度の値Ｎ４が高いほど大きくなるように設定されている。
【００７０】
［ジョブ管理処理］
続いて、図７を参照しつつ、前記他の実施形態に係る前記画像処理装置１０において、前記制御部５により実行される前記ジョブ管理処理の手順の一例について説明する。なお、前記制御部５は、前記ジョブ管理処理と並行して前記削除制御処理（図５参照）を実行する。
【００７１】
＜ステップＳ３１＞
ステップＳ３１において、前記制御部５は、前記画像処理装置１０で前記ジョブが実行されたか否かを判断する。ここで、前記制御部５は、前記ジョブが実行されたと判断すると（Ｓ３１のＹｅｓ側）、処理をステップＳ３２に移行させる。一方、前記制御部５は、前記ジョブが実行されていなければ（Ｓ３１のＮｏ側）、処理を前記ステップＳ３１で待機させる。
【００７２】
＜ステップＳ３２＞
ステップＳ３２において、前記制御部５は、前記画像処理装置１０の設置場所に対応する前記重み値を特定する。具体的に、前記制御部５は、前記画像処理装置１０の初期設定時などに設定された前記画像処理装置１０の設置場所と前記重み情報Ｄ１１とに基づいて前記重み値を特定する。
【００７３】
＜ステップＳ３３＞
ステップＳ３３において、前記制御部５は、前記画像処理装置１０に前記ジョブを要求したユーザーが属する前記部門に対応する前記重み値を特定する。具体的に、前記制御部５は、前記画像処理装置１０に現在ログイン中の前記ユーザーの部門と前記重み情報Ｄ１２とに基づいて前記重み値を特定する。
【００７４】
＜ステップＳ３４＞
ステップＳ３４において、前記制御部５は、前記画像処理装置１０に前記ジョブを要求したユーザーに対応する前記重み値を特定する。具体的に、前記制御部５は、前記画像処理装置１０に現在ログイン中の前記ユーザーと前記重み情報Ｄ１３とに基づいて前記重み値を特定する。
【００７５】
＜ステップＳ３５＞
ステップＳ３５において、前記制御部５は、前記ジョブの内容に対応する前記重み値を特定する。具体的に、前記制御部５は、前記ジョブが前記データ送信を伴う場合に、前記データ送信の送信先と前記重み情報Ｄ１４とに基づいて前記重み値を特定する。例えば、前記データ送信の送信先が前記内部又は前記外部のいずれであるかについての情報は、前記画像処理装置１０のアドレス帳に予め登録されていることが考えられる。
【００７６】
また、前記制御部５が、前記データ送信の送信先のメールアドレスのドメイン名が、前記画像処理装置１０に予め設定されたドメイン名であるか否かに応じて前記送信先が前記内部又は前記外部のいずれかであるかを判断してもよい。さらに、前記制御部５が、前記データ送信が内線又は外線のいずれであるかに応じて前記送信先が前記内部又は前記外部のいずれであるかを判断することも考えられる。例えば前記制御部５は、前記データ送信の送信先が電話番号である場合に、その電話番号の先頭に外線発信番号を示す「０」などの情報が入力されたか否かに応じて、前記データ送信が前記内線又は前記外線のいずれであるかを判断することが可能である。
【００７７】
＜ステップＳ３６＞
そして、ステップＳ３６において、前記制御部５は、前記ステップＳ３２〜Ｓ３５で特定された４つの前記重み値に基づいて前記ログの重要度を算出して設定する。このように、前記ログ管理処理において前記ログの重要度を設定するときの前記制御部５が前記設定制御部５２である。
【００７８】
具体的に、前記制御部５は、前記ステップＳ３２〜Ｓ３５で特定された前記重み値の積を前記重要度として算出する。例えば、前記設置場所に対応する重み値が「２」、前記部門に対応する重み値が「３」、前記ユーザーに対応する重み値が「４」、前記データ送信先に対応する重み値が「１」である場合、前記ログの重要度は「２４」になる。なお、前記制御部５は、前記操作表示部６のユーザー操作に応じて、前記設置場所、前記部門、前記ユーザー、及び前記データ送信先のうち前記重要度の算出に使用する情報を予め設定可能である。
【００７９】
また、前記制御部５が、前記重み値の積が予め設定された複数の範囲のいずれに属するかに応じて重要度を設定することも考えられる。例えば、前記重み値の積が「１６」未満の場合は重要度が「低」であり、「１７」以上「３２」未満の場合は重要度が「中」であり、「３３」以上「６４」未満の場合は重要度が「高」であり、「６４」以上の場合は重要度が「高」であることが考えられる。なお、前記重み値に基づく前記重要度の算出手法は、前記重み値の積に限らず、前記重み値の和であってもよく、その他の予め設定された演算式に基づいて行われてもよい。
【００８０】
＜ステップＳ３７＞
そして、ステップＳ３７において、前記制御部５は、前記ジョブのログを前記ステップＳ３６で設定された前記重要度と共に前記ログ記憶部７１に記憶させる。これにより、前記制御部５は、前記ログごとに対応する前記重要度を前記ログ記憶部７１から読み出すことが可能になる。例えば、前記重要度は、前記ログの情報の一部として記憶される。また、前記重要度は、前記ログを識別するための情報と共に前記ログとは異なる情報として前記ログ記憶部７１に記憶されてもよい。
【００８１】
＜ステップＳ３８＞
その後、ステップＳ３８において、前記制御部５は、前記重み情報Ｄ１２に記憶されている前記部門に対応する重み値を前記ジョブの履歴に基づいて変更する。
【００８２】
具体的に、前記制御部５は、前記ジョブが終了するごとに、前記文字認識部５４により前記ジョブの処理対象の画像データにおける前記特定文字の有無を判断する。そして、前記制御部５は、前記画像処理装置１０で実行されたジョブの回数及び前記ジョブの処理対象の画像データに前記特定文字が含まれている回数をユーザーごとにカウントして前記記憶部７に記憶させる。これにより、前記制御部５は、ユーザーごと又は前記ユーザーが属する部門ごとに前記特定文字の検知頻度を算出することが可能である。
【００８３】
そして、前記制御部５は、前記ユーザーが属する部門に対応する前記特定文字の検知頻度を算出すると、前記検知頻度と前記重み変更情報Ｄ２１とに基づいて、前記重み情報Ｄ１２における前記部門の重み値を変更する。これにより、前記ジョブの処理対象の画像データに前記特定文字が含まれる頻度が高いユーザーが属する部門ほど前記重要度の算出結果の値が大きくなる。このように、前記部門に対応する前記重み値を、前記部門に属するユーザーにより実行された前記ジョブの処理対象の画像データに前記特定文字が含まれている頻度に応じて自動的に変更する処理も前記設定制御部５２によって実行される。なお、前記部門に対応する前記重み値の自動的な変更の有無は、前記操作表示部６に対するユーザー操作に応じて前記制御部５が設定可能である。
【００８４】
＜ステップＳ３９＞
同じく、ステップＳ３９において、前記制御部５は、前記重み情報Ｄ１３に記憶されている前記ユーザーに対応する重み値を前記ジョブの履歴に基づいて変更する。具体的に、前記制御部５は、前記ユーザーに対応する前記特定文字の検知頻度を算出し、前記検知頻度と前記重み変更情報Ｄ２１とに基づいて、前記重み情報Ｄ１２における前記部門の重み値を変更する。これにより、前記ジョブの処理対象の画像データに前記特定文字が含まれる頻度が高いユーザーほど前記重要度の算出結果の値が大きくなる。このように、前記ユーザーに対応する前記重み値を、前記ユーザーにより実行された前記ジョブの処理対象の画像データに前記特定文字が含まれている頻度に応じて自動的に変更する処理も前記設定制御部５２によって実行される。なお、前記ユーザーに対応する前記重み値の自動的な変更の有無は、前記操作表示部６に対するユーザー操作に応じて前記制御部５が設定可能である。
【００８５】
以上説明したように、当該他の実施形態に係る前記画像処理装置１０では、前記部門又は前記ユーザーに対応する前記重み値を前記部門又は前記ユーザーごとの前記ジョブの実行履歴に応じて自動的に更新することが可能である。従って、前記削除制御処理では、前記部門又は前記ユーザーにより実行される前記ジョブのログのうち重要である可能性が高いと推測されるログが残される。
【符号の説明】
【００８６】
１  ：ＡＤＦ
２  ：画像読取部
３  ：画像形成部
４  ：給紙部
５  ：制御部
５１：記憶制御部
５２：設定制御部
５３：削除制御部
５４：文字認識部
６  ：操作表示部
７  ：記憶部
７１：ログ記憶部
７２：重み情報記憶部
８  ：通信Ｉ／Ｆ
１０：画像処理装置
【図１】
0005980183.tif 000002
【図２】
0005980183.tif 000003
【図３】
0005980183.tif 000004
【図４】
0005980183.tif 000005
【図５】
0005980183.tif 000006
【図６】
0005980183.tif 000007
【図７】
0005980183.tif 000008